(57)【要約】【課題】複数の素電池が内蔵されているとともに、各素電池を効率的に充電することができる全固体電池を提供する。【解決手段】上下方向に正極層（２１〜２３）、固体電解質層（４１〜４３）、負極層（３１〜３３）がこの順に積層されてなる電極体（６１〜６３）を備え、直方体形状の焼結体からなる電池本体１０の、少なくとも前後左右いずれかの面（２〜５）に電極端子（１１ａ〜１１ｄ）が形成されてなり、電池本体は、複数の電極体のそれぞれの上方と下方とに集電体層（５１〜５４）が形成されてなる複数の素電池（７１〜７３）が固体電解質４０中に上下方向に積層された状態で埋設されてなり、複数の素電池は直列接続され、電池本体内の最上層の集電体層と、最下層の集電体層と、上下方向で隣接する電極体の層間に配置された集電体層が、それぞれ、所定の電極端子に個別に端面接続されている全固体電池１としている。【選択図】図２
2019185973.tif 000002
【特許請求の範囲】
【請求項１】
上下方向に正極活物質と固体電解質とを含む正極層、前記固体電解質からなる固体電解質層、および負極活物質と前記固体電解質とを含む負極層がこの順に積層されてなる電極体を備えた全固体電池であって、
前記上下方向と直交する一方を前後方向とし、上下方向と前後方向とに直交する方向を左右方向として、
直方体形状の焼結体からなる電池本体の、少なくとも前後左右いずれかの面に電極端子が形成されてなり、
前記電池本体は、複数の前記電極体のそれぞれの上方と下方とに集電体層が形成されてなる複数の素電池が固体電解質中に上下方向に積層された状態で埋設されてなり、
前記複数の素電池は直列接続され、
前記電池本体内の最上層の前記集電体層と、最下層の前記集電体層と、上下方向で隣接する前記電極体の層間に配置された前記集電体層が、それぞれ、所定の前記電極端子に個別に端面接続されている、
ことを特徴とする全固体電池。
【請求項２】
請求項１に記載の全固体電池であって、前記電池本体の前後左右の面で、互いに対面する二面の全面にそれぞれ電極端子が形成されていることを特徴とする全固体電池。
【請求項３】
請求項２に記載の全固体電池であって、
前記最上層の集電体層が互いに対面する前記二面の一方の面の前記電極端子に端面接続され、
前記最下層の集電体層が互いに対面する前記二面の他方の面の前記電極端子に端面接続されている、
ことを特徴とする全固体電池。
【請求項４】
請求項１〜３のいずれかに記載の全固体電池であって、前記電極端子は、少なくとも上下いずれかの面にまでわたって形成されていることを特徴とする全固体電池。
【請求項５】
請求項１〜４のいずれかに記載の全固体電池であって、上下方向で隣接する前記電極体は、層間に配置された一つの集電体層を共有していることを特徴とする全固体電池。
【請求項６】
請求項１〜４のいずれかに記載の前記全固体電池であって、上下方向で隣接する前記素電池は、絶縁体層を介して積層されていることを特徴とする全固体電池。
【発明の詳細な説明】
【技術分野】
【０００１】
本発明は全固体電池に関する。
【背景技術】
【０００２】
リチウム二次電池は、各種二次電池の中でもエネルギー密度が高いことで知られている。しかし一般に普及しているリチウム二次電池は、電解質に可燃性の有機電解液を用いている。そのため、リチウム二次電池では、液漏れ、短絡、過充電などに対する安全対策が他の電池よりも厳しく求められている。そこで近年、電解質に酸化物系や硫化物系の固体電解質を用いた全固体電池に関する研究開発が盛んに行われている。固体電解質は、固体中でイオン伝導が可能なイオン伝導体を主体として構成される材料であり、従来のリチウム二次電池のように可燃性の有機電解液に起因する各種問題が原理的に発生しない。そして、一般的な全固体電池は層状の正極（正極層）と層状の負極（負極層）との間に層状の固体電解質（電解質層）が狭持されてなる一体的な焼結体（以下、電極体とも言う）に集電体を形成した構造を有している。
【０００３】
全固体電池の正極活物質には、ＬｉＣｏＯ２、ＬｉＭｎ２Ｏ４など、従来のリチウム二次電池用の材料を用いることができる。また、全固体電池は、可燃性の電解液を用いないことから、より高い電位差が得られ、エネルギー密度が高い全固体電池用の正極活物質についても研究されている。例えば、以下の特許文献１には、ＭをＣｏとＮｉのいずれか一方、あるいは両方として、化学式Ｌｉ２ＭＰ２Ｏ７で表される正極活物質と、その正極活物質を、固相法を用いて製造する方法について記載されている。なお、負極活物質としては、酸化チタン（ＴｉＯ２）などがある。
【０００４】
上記電極体は、例えば、周知のグリーンシート法を用いて作製することができる。グリーンシート法を用いた電極体の作製方法の一例を示すと、まず、正極活物質と固体電解質を含むスラリー状の正極層材料、負極活物質と固体電解質を含むスラリー状の負極層材料、および固体電解質を含むスラリー状の固体電解質層材料をそれぞれシート状のグリーンシートに成形し、固体電解質層材料からなるグリーンシートを正極層材料からなるグリーンシートと負極層材料からなるグリーンシートとで挟持して得た積層体を圧着し、その圧着後の積層体を焼成する。それによって焼結体である電極体が完成する。なお、全固体電池の基本的な製造方法は、例えば、以下の特許文献２に記載されている。また、以下の特許文献３には、ドクターブレード法を用いて作製されるチップ型の全固体電池について記載されている。
【先行技術文献】
【特許文献】
【０００５】
【特許文献１】特開２０１７−１８２９４９号公報
【特許文献２】特開２００９−２０６０９４号公報
【特許文献３】特開２０１７−１８２９４５号公報
【発明の概要】
【発明が解決しようとする課題】
【０００６】
全固体電池は、一つの正極層と一つの負極層とを一つの固体電解質層を介して対面させた構造を一組の素電池として、複数の素電池を上下方向に積層することができる。そして、複数の素電池を一つの全固体電池の中に含ませることができる。それによって、例えば、複数の素電池を全固体電池の内部で直列接続すれば、一つの全固体電池でより高い電圧を出力することができる。
【０００７】
ところで、直列接続された複数の素電池を内蔵した全固体電池を充電する場合には、その複数の素電池を一括して充電することになる。例えば、三個の素電池を内蔵した全固体電池で、一つの素電池の起電力がＥ（Ｖ）であれば、充電に際し、正極端子と負極端子との間に３×Ｅ（Ｖ）電圧を印加する。しかしながら、各素電池の容量が正確に一致するように全固体電池を作製することは難しい。そのため、複数の素電池が直列接続されてなる全固体電池を充電すると、容量が最も少ない素電池が最も早く満充電状態なる。そして、他の素電池は、それ以上充電されない。すなわち、設計上の充電容量に対して実際の充電容量が少なくなる。
【０００８】
そこで、本発明は、複数の素電池が内蔵されているとともに、各素電池を効率的に充電することができる全固体電池を提供することを目的としている。
【課題を解決するための手段】
【０００９】
上記目的を達成するための本発明の一態様は、上下方向に正極活物質と固体電解質とを含む正極層、前記固体電解質からなる固体電解質層、および負極活物質と前記固体電解質とを含む負極層がこの順に積層されてなる電極体を備えた全固体電池であって、
前記上下方向と直交する一方を前後方向とし、上下方向と前後方向とに直交する方向を左右方向として、
直方体形状の焼結体からなる電池本体の、少なくとも前後左右いずれかの面に電極端子が形成されてなり、
前記電池本体は、複数の前記電極体のそれぞれの上方と下方とに集電体層が形成されてなる複数の素電池が固体電解質中に上下方向に積層された状態で埋設されてなり、
前記複数の素電池は直列接続され、
前記電池本体内の最上層の前記集電体層と、最下層の前記集電体層と、上下方向で隣接する前記電極体の層間に配置された前記集電体層が、それぞれ、所定の前記電極端子に個別に端面接続されている、
ことを特徴とする全固体電池としている。
【００１０】
前記電池本体の前後左右の面で、互いに対面する二面の全面にそれぞれ電極端子が形成されている全固体電池とすることもできる。さらに、前記最上層の集電体層が互いに対面する前記二面の一方の面の前記電極端子に端面接続され、前記最下層の集電体層が互いに対面する前記二面の他方の面の前記電極端子に端面接続されている全固体電池としてもよい。
【００１１】
前記電極端子が、少なくとも上下いずれかの面にまでわたって形成されている全固体電池とすることもできる。また、上下方向で隣接する前記電極体が、層間に配置された一つの集電体層を共有している全固体電池とすることもできる。あるいは、上下方向で隣接する前記素電池が、絶縁体層を介して積層されている全固体電池とすることもできる。
【発明の効果】
【００１２】
本発明によれば、複数の素電池が内蔵されているとともに、各素電池を効率的に充電することができる全固体電池が提供される。なお、その他の効果については以下の記載で明らかにする。
【図面の簡単な説明】
【００１３】
【図１】本発明の実施例に係る全固体電池の外観を示す図である。
【図２】上記実施例に係る全固体電池の構造を示す断面図である。
【図３】上記実施例に係る全固体電池に埋設されている集電体層の形状を示す平面図である。
【図４】上記実施例に係る全固体電池の回路図である。
【図５】上記実施例に係る全固体電池の作製手順を示す図である。
【図６】上記実施例に係る全固体電池における素電池と電極端子との接続構造の変形例を示す図である。
【図７】本発明のその他の実施例に係る全固体電池の構造を示す断面図である。
【発明を実施するための形態】
【００１４】
本発明の実施例について、以下に添付図面を参照しつつ説明する。なお以下の説明に用いた図面において、同一又は類似の部分に同一の符号を付して重複する説明を省略することがある。ある図面において符号を付した部分について、不要であれば他の図面ではその部分に符号を付さない場合もある。
【００１５】
＝＝＝実施例＝＝＝
本発明の実施例として、例えば、積層チップ部品と同様の構造を有するチップ型の全固体電池を挙げる。図１に本発明の実施例に係る全固体電池１の外観を示した。図１（Ａ）、（Ｂ）は、それぞれ、全固体電池１を異なる方向から見たときの斜視図である。図１（Ａ）、（Ｂ）に示したように、実施例に係る全固体電池１は、焼結体からなる直方体状の電池本体１０の表面に電極端子１１が形成された構造を有している。電池本体１０において、互いに対面する二面（２、３）には、外部の電子回路に接続される電極端子（１１ａ、１１ｂ）が全面に設けられている。本実施例の全固体電池１では、互いに対面する二面（２、３）の一方の面２の電極端子１１ａが正極端子となっており、他方の面３の電極端子１１ｂが負極端子となっている。
【００１６】
ここで、正極端子となる電極端子１１ａが電池本体１０あるいは全固体電池１の前面２に形成されていることとして前後の各方向を規定し、前後方向に直交する二方向を左右方向、および上下方向とすると、上下方向あるいは左右方向で対面する二面（４、５）には、帯状の電極端子（以下、側面電極端子（１１ｃ、１１ｄ）とも言う）が形成されている。以下では、左右の側面（４、５）に帯状の側面電極端子（１１ｃ、１１ｄ）が形成されているとともに、図１（Ａ）、（Ｂ）に示したように、前後、左右、上下の各方向を規定することとすると、側面電極端子（１１ｃ、１１ｄ）は、電池本体１０の左面４と右面５のそれぞれにおいて、上面６と下面７とを連絡するように形成されている。なお、図１に示した例では、前面２の全面に形成されている電極端子（以下、前面電極端子１１ａとも言う）、および後面３の全面に形成されている電極端子（以下、後面電極端子１１ｂとも言う）は、ぞれぞれ、前面２および後面３から、それらの面（２、３）に接続する面（４〜７）にまでわたって回り込むように形成されている。また、帯状の側面電極端子（１１ｃ、１１ｄ）は、上端と下端とがそれぞれ上面６および下面７にまでわたって回り込むように形成されている。
【００１７】
電池本体１０内には、正極層と負極層とが電解質層を介して上下方向に積層されてなる電極体が埋設されている。図２は、実施例に係る全固体電池１を上下方向と前後方向とを含む面で切断したときの縦断面図であり、図１（Ａ）、（Ｂ）における、ａ−ａ矢視断面に対応している。なお、図２では、全固体電池１の構成要素を異なるハッチングで示している。図２に示したように、電池本体１０は、固体電解質４０中に電極体（６１〜６３）が埋設された構造を有している。なお、ここに示した全固体電池１の電池本体１０では、三組の電極体（６１〜６３）が集電体層（５２、５３）を介して上下方向に積層された状態で固体電解質４０中に埋設された構造を有している。そして、一層分の電解質層（４１〜４３）を介して一つの正極層（２１〜２３）と一つの負極層（３１〜３３）とを積層させてなる一組の電極体（６１〜６３）の上層と下層とに、それぞれ集電体層（５１〜５４）が積層されて一組の素電池（７１〜７３）が形成されている。
【００１８】
実施例に係る全固体電池１では、電池本体１０内に、三つの素電池（７１〜７３）が、直列接続されるように、上下方向に積層された状態で埋設されている。また、内層側の集電体層（５２、５３）の上面と下面には、異なる極の層（３１と２２、３２と２３）が積層されて、上下で隣接する二つの素電池（７１と７２、７２と７３）が一つの集電体層（５２、５３）を共有している。そして、本実施例に係る全固体電池１では、最上層の集電体層（以下、第１集電体層５１とも言う）が正極集電体であり、最下層の（以下、第４集電体層５４とも言う）が負極集電体となっている。
【００１９】
ここで、各素電池（７１、７２、７３）を、上方から下方に向けて、第１素電池７１、第２素電池７２、および第３素電池７３と称することとすると、本実施例に係る全固体電池１では、第１素電池７１の正極集電体である第１集電体層５１が、電池本体１０の前面電極端子１１ａに接続され、第３素電池７３の負極集電体である第４集電体層５４が、後面電極端子１１ｂに接続されている。
【００２０】
また、第１素電池７１の負極集電体と第２素電池７２の正極集電体とを兼ねる集電体（以下、第２集電体層５２とも言う）は、図１に示した電池本体１０の左右一方の面（４、５）に形成されている側面電極端子（１１ｃ、１１ｄ）に接続され、第２素電池７２の負極集電体と第３素電池７３の正極集電体とを兼ねる集電体（以下、第３集電体層５３とも言う）は、電池本体１０の左右他方（５、４）の面に形成されている側面電極端子（１１ｄ、１１ｃ）に接続されている。
【００２１】
図３に、全固体電池１を上方から見たときの、第１〜第４集電体（５１〜５４）の平面形状を示した。図３（Ａ）、（Ｂ）、（Ｃ）、および（Ｄ）は、それぞれ、図２に示した、第１集電体層５１、第２集電体層５２、第３集電体層５３、および第４集電体層５４の平面形状を示している。図３（Ａ）に示したように、電池本体１０において最上層にある第１集電体層５１の平面形状は、矩形状で、前縁辺５１２が前面電極端子１１ａに接続され、図３（Ｂ）に示したように、第２集電体層５２の平面形状は、矩形の左辺５２４に突片５５を設けた形状で、その突片５５の先端が左方の側面電極端子１１ｃに接続されている。また、図３（Ｃ）に示したように、第３集電体層５３の平面形状は、矩形の右辺５３５に突片５５を設けた形状で、その突片５５の先端が右方の側面電極端子１１ｄに接続されている。そして、図３（Ｄ）に示したように、電池本体１０において最下層にある第４集電体層５４の平面形状は、矩形状で、後縁辺５４３が電池本体１０の後面電極端子１１ｂに接続されている。
【００２２】
図４は、実施例に係る全固体電池１の回路図であり、図４（Ａ）は、各素電池（７１〜７３）と各電極端子（１１ａ〜１１ｄ）との接続構造を示しており、図４（Ｂ）は、全固体電池１全体の回路図である。図４（Ａ）に示したように、第１素電池７１は、電池本体１０の前面電極端子１１ａと左方の側面電極端子１１ｃとに接続され、左方の側面電極端子１１ｃを負極端子としている。第２素電池７２は、正極と負極が、それぞれ、左方と右方の側面電極端子（１１ｃ、１１ｄ）に接続されて、右方の側面電極端子１１ｃを正極端子としている。第３素電池７３は、右方の側面電極端子１１ｄと後面電極端子１１ｂとに接続されて、右方の側面電極端子１１ｄを正極端子としている。
【００２３】
そして、本実施例の全固体電池１では、側面電極端子（１１ｃ、１１ｄ）を備えることで、各素電池（７１、７２、７３）が個別に正極端子と負極端子とを備えたものになる。そのため、各素電池（７１、７２、７３）の端子間（１１ａ−１１ｃ、１１ｃ−１１ｄ、１１ｄ−１１ｂ）に個別に充電回路を接続し、各素電池（７１〜７３）を個別に充電することができる。すなわち、各素電池（７１〜７３）の容量にバラツキがある場合でも、容量を無駄にすることなく各素電池（７１〜７３）を確実に充電することができる。
【００２４】
＜全固体電池の製造方法＞
図１〜図３に示した、本実施例に係る全固体電池１は、例えば、積層チップ部品と同様の方法で作製することができる。すなわち、ドクターブレード法とスクリーン印刷法とを基本とした製造手順を採用することができる。全固体電池１は、一個ずつ個別に作製されるのではなく、まず、焼成前の電池本体１０を個片として、上下方向を法線とする平面上に多数の個片が配置されたシートを作製する。次いで、そのシートを裁断して各個片に分離したのち、各個片を焼成して焼結体である電池本体１０を得る。そして、電池本体１０の前後の端面（２、３）、および左右の側面（４、５）に前面電極端子１１ａ、後面電極端子１１ｂ、および側面電極端子（１１ｃ、１１ｄ）を形成して全固体電池１を完成させる。なお、図２に示した、正極層（２１〜２３）、負極層（３１〜３３）、電解質層（４１〜４３）や各素電池（７１〜７３）を囲繞する固体電解質４０については、グリーンシート法で用いられるペースト状の正極層材料、負極層材料、および固体電解質層材料を使用することができる。また、集電体（５１〜５４）については銀ペーストなどの導電体ペーストを使用することができる。
【００２５】
図５に、実施例に係る全固体電池１の製造手順の一例を示した。なお、図５では、各個片に対応する平面領域（以下、個片領域とも言う）内において、電極体（６１〜６３）を構成する、正極層（２１〜２３）、電解質層（４１〜４３）、負極層（３１〜３３）、および集電体層（５１〜５４）のそれぞれに対応する、正極層材料、固体電解質層材料、負極層材料、導電体ペーストのパターンを、ドクターブレード法によって塗布したりスクリーン印刷法によって選択的に形成したりする手順を示している。なお、図５では、各層の材料や導電体ペーストのパターンを下方から上方に向けて積層しながら順次形成していく過程を示している。以下、図２、図３、および図５を参照しつつ、全固体電池１の作製手順について説明する。
【００２６】
まず、固体電解質層材料１４０を塗工し（ｓ１）、その固体電解質層材料１４０の上方に第４集電体層５４となる導電性ペーストのパターン１５４をスクリーン印刷法により形成する（ｓ２）。ここでは、銀ペーストを用いた。次いで、導電体ペーストのパターン１５４上に第３素電池７３の負極層３３となる負極層材料のパターン１３３を形成する（ｓ３）。なお、負極層材料のパターン１３３は、個片領域の中央に矩形状に形成され、第４集電体層５４となる導電体ペーストのパターン１５４は、負極層材料のパターン１３３が形成されている領域を覆いつつ個片領域の後端まで形成される。
【００２７】
負極層材料のパターン１３３を形成したならば、この負極層材料のパターン１３３を覆いつつ、個片領域全体にわたって固体電解質層材料１４３を塗工し（ｓ４）、その固体電解質層材料１４３の上方に正極層材料のパターン１２３と第３集電体層５３となる導電体ペーストのパターン１５３とを、この順に形成する（ｓ５、ｓ６）。このようにして、まず、第３素電池７３に対応する積層構造が形成される。なお、正極層材料は、負極層材料と同様に、個片領域の中央に矩形状に形成され、第３集電体層５３となる導電体ペーストのパターン１５３は、図３（Ｃ）に示したように、正極層材料のパターン１２３が形成されている領域を覆う矩形の右辺５３５に突片５５が設けられた平面形状である。突片５５の先端は、個片領域の右端まで形成される。
【００２８】
次に、この第３素電池７３となる積層構造の上方に、第２素電池７２となる積層構造を形成していく。ここでは、第３集電体層５３に対応する導電体ペーストのパターン１５３上に負極層材料のパターン１３２を形成し、その負極層材料のパターン１３２を固体電解質層材料１４２で覆う（ｓ７）。
【００２９】
さらに、正極層材料のパターン１２２と第２集電体層５２となる導電体ペーストのパターン１５２をこの順に形成し（ｓ８）、第２素電池７２に対応する積層構造を完成させる。なお、第２集電体層５２に対応する導電体ペーストのパターン１５２は、図３（Ｂ）に示したように、正極層材料のパターン１２２が形成されている領域を覆う矩形の左辺５２４に突片５５が設けられた平面形状である。突片５５の先端は、個片領域の左端まで形成される。次に、第２集電体層５２に対応する導電体ペーストのパターン１５２上に、負極層材料のパターン１３１を形成し、そのパターン１３１の上方から固体電解質層材料１４１を塗工し、さらに、第１素電池７１の正極層２１となる正極層材料のパターン１２１と第１集電体層５１となる導電体ペーストのパターン１５１を形成し、第１素電池７１に対応する積層構造を完成させる。なお、第１集電体層５１となる導電体ペーストのパターン１５１は、正極層材料のパターン１２１が形成されている領域を覆いつつ個片領域の前端まで形成される。
【００３０】
そして、第１集電体層５１に対応する導電性ペーストのパターン１５１の上方を固体電解質層材料１４４で覆う（ｓ９）。それによって、互いに直列接続された三つの素電池（７１〜７３）に対応する積層構造が固体電解質層材料（１４０〜１４４）中に埋設される。このようにして、平面上に各個片に並列接続された三つの素電池（７１〜７３）に対応する積層構造が多数形成されたシートが作製される。なお、上記工程（ｓ１〜ｓ９）では、正極層材料、負極層材料、固体電解質層材料、および導電体ペーストを塗工する工程のそれぞれを実行した後に熱処理による乾燥工程を実施している。
【００３１】
固体電解質層材料中に三つの素電池（７１〜７３）に対応する積層構造が埋設されたシートを完成させたならば、そのシートを、圧着した後、各個片に裁断する。それによって，シートが直方体状の各個片に分離される。各個片を焼成すると直方体状の焼結体からなる電池本体１０が完成する（ｓ１０）。そして、電池本体１０に埋設されている素電池（７１〜７３）の上下方向の厚さＨは０．４７ｍｍであり、正極層（２１〜２３）、負極層（３１〜３３）、電解質層（４１〜４３）、および集電体層（５１〜５４）の上下方向の厚さは、それぞれ、０．０９ｍｍ、０．１０ｍｍ、０．０８ｍｍおよび０．１ｍｍであり、電池本体１０は、内部に、三つの素電池（７１〜７３）が上下方向に積層された状態で埋設されていても、非常に薄いものとなっている。
【００３２】
最後に、電池本体１０の前面２、後面３、および左右の側面（４、５）に導電体ペーストを塗布し、その導電体ペーストを熱処理によって焼き付ければ、前面電極端子１１ａ、後面電極端子１１ｂ、および側面電極端子（１１ｃ、１１ｄ）が形成されて、図１〜図３に示した全固体電池１が完成する。なお、実施例に係る全固体電池１は、各電極端子（１１ａ〜１１ｄ）が電池本体１０の上面６および下面７にまで形成されており、電子回路を構成する他の電子部品と同様に、リフロー半田付けなどの方法によって回路基板上に実装することができるようになっている。
【００３３】
また、実施例に係る全固体電池１では、前面、および後面の全面に、三つの素電池（７１〜７３）を直列接続させた組電池の正極端子、および負極端子となる前面電極端子１１ａ、および後面電極端子１１ｂが形成されている。それによって、電子機器側に、乾電池用の電池ホルダーのように、全固体電池１の前面と後面とに接触する端子を設けておけば、全固体電池１を交換可能に電子回路に接続することもできる。
【００３４】
＝＝＝その他の実施例＝＝＝
実施例に係る全固体電池１では、電池本体１０に三つの素電池（７１〜７３）が埋設されていたが、もちろん、直列に接続された二個、あるいは四個以上の所定の数の複数の素電池が埋設されていてもよい、
各素電池（７１〜７３）の集電体層（５１〜５４）と電極端子（１１ａ〜１１ｄ）との接続構造は適宜に変更できる。図６は、集電体層（５１〜５４）と電極端子（１１ａ〜１１ｄ）との接続構造の変形例を示している。図６は、各素電池（７１〜７３）における電極端子（１１ａ〜１１ｄ）の接続状態を示す平面図であり、この図６に示したように、第１集電体層５１が、前面電極端子１１ａに接続され、第２集電体層５２が後面電極端子１１ｂに接続されている。第３集電体層５３が左方の側面電極端子１１ｃに接続され、第４集電体層５４が右方の側面電極端子１１ｄに接続されている。したがって、組電池としては、前面電極端子１１ａが正極端子となり、右方の側面電極端子１１ｄが負極端子となる。いずれにしても、電池本体１０内の第１〜第４集電体層（５１〜５４）が、それぞれ、所定の電極端子（１１ａ〜１１ｄ）に個別に端面接続されていればよい。
【００３５】
上記実施例に係る全固体電池１では、第２集電体層５２と第３集電体層５３の表裏に正極層（２２、２３）と負極層（３１、３２）とが配置されていたが、上下方向で隣接する二つの素電池間（７１−７２、７２−７３）に、例えば、アルミナなどからなる絶縁層を配置し、二つの素電池同士（７１−７２、７２−７３）を電池本体１０の表面に形成された電極端子（１１ｃ、１１ｄ）を介して電気的に接続するようにしてもよい。
【００３６】
図７に、上下で隣接する二つの素電池間（７１−７２、７２−７３）に絶縁層８０が配置された全固体電池１０１の縦断面図を示した。図７に示したように、第１素電池７１における下方の集電体層５２ａと第２素電池７２における上方の集電体層５２ｂとの間、および第２素電池７２における下方の集電体層５３ａと第３素電池７３における上方の集電体層５３ｂとの間に絶縁体層８０が介在している。なお、絶縁層８０を介して互いに対面する二つの集電体層（５２ａと５２ｂ、５３ａと５３ｂ）は、上下方向から見ると同じ平面形状を有して同じ電極端子（１１ｃ、１１ｄ）に接続されている。このように、上下方向で隣接する二つの素電池間（７１−７２、７２−７３）に絶縁層８０を配置することで、例えば、集電体層（５２ａ、５２ｂ、５３ａ、５３ｂ）にピンホールなどがあっても、正極層（２２、２３）と負極層（３１、３２）とが接触することによる内部短絡を確実に防止することができる。
【００３７】
上記実施例に係る全固体電池１では、電池本体１０の前後と左右の面（２〜５）に電極端子（１１ａ〜１１ｄ）が形成されていたが、左右の側面（４、５）については、帯状の側面電極端子を前後方向に平行となるように配置すれば、左右一方の面（４、又は５）に二つの側面電極（１１ｃ、１１ｄ）を設けることもできる。もちろん、形成領域を確保できるのであれば、一つの面に四つの電極端子を全て形成することもできる。いずれにしても、電池本体内に埋設された複数の集電体層のそれぞれが、一つの電極端子に個別に接続されていればよい。
【００３８】
上記実施例に係る全固体電池１は、ドクターブレード法で作製されるチップ型であったが、グリーンシート法によって作製される全固体電池であってもよい。
【符号の説明】
【００３９】
１，１０１  全固体電池、２  前面、３  後面、４  左面、５  右面、１０  電池本体、１１ａ〜１１ｂ  電極端子、２１〜２３  正極層、３１〜３３  負極層、４１〜４３  電解質層、５１〜５４，５２ａ，５２ｂ，５３ａ，５３ｂ  集電体層、
６１〜６３  電極体、７１〜７３  素電池、８０  絶縁体層
【図１】
2019185973.tif 000003
【図２】
2019185973.tif 000004
【図３】
2019185973.tif 000005
【図４】
2019185973.tif 000006
【図５】
2019185973.tif 000007
【図６】
2019185973.tif 000008
【図７】
2019185973.tif 000009